(57)【要約】【課題】送信する原稿画像を受信側での印刷イメージとして自装置でプレビューできるようにする。【解決手段】プレビュー画面において、Ｐ１、Ｐ４部分に画像の受信側で印刷するイメージが表示される。Ｐ１は両面での印刷イメージを表示している。Ｐ４は画像の受信側でＡ４タテ設定で印刷するようになっているため、図が切れているイメージを表示している。Ｐ２の「プレビューイメージを印刷」ボタン押下により、プレビューイメージが送信側である自装置で印刷される。その印刷画像の状態を確認してからＰ３の「印刷方法設定」部分に配置されたボタン押下で、印刷方法の各項目が設定できる。各項目から印刷方法を選択して受信側に通知する。【選択図】図４
2008219811.tif 000002
【特許請求の範囲】
【請求項１】
送信先の装置の印刷能力の情報を保持する保持手段と、
前記保持した印刷能力に基づいて送信画像の印刷画像を自装置でプレビューするプレビュー手段と、
前記プレビュー手段でプレビューした後、印刷方法を選択する選択手段と、
前記選択された印刷方法を前記送信先に通知する通信手段とを備えたことを特徴とするファクシミリ装置。
【請求項２】
前記保持手段が保持する印刷能力の情報として、カラー印刷、両面印刷、高解像度、記録紙種類、記録紙残量のうち少なくとも１つ以上を保持することを特徴とする請求項１記載のファクシミリ装置。
【請求項３】
前記印刷能力の情報を、送信先毎に手動で設定する設定手段を備えたことを特徴とする請求項１記載のファクシミリ装置。
【請求項４】
前記送信先の印刷能力の情報を、その送信先との最初の通信のプロトコルで取得し前記保持手段に保持する取得手段を備えたことを特徴とする請求項１記載のファクシミリ装置。
【請求項５】
前記プレビュー画面を自装置で表示する表示手段を備えたことを特徴とする請求項１記載のファクシミリ装置。
【請求項６】
前記プレビューイメージを自装置で印刷する印刷手段を備えたことを特徴とする請求項１記載のファクシミリ装置。
【請求項７】
前記通信手段は、前記印刷方法を前記送信先にプロトコルで通知することを特徴とする請求項１記載のファクシミリ装置。
【請求項８】
前記通信手段は、前記印刷方法を画像情報に付加して通知することを特徴とする請求項１記載のファクシミリ装置。
【請求項９】
前記送信側でプレビュー画面を表示するために自装置の印刷能力の情報を前記送信側に送信する送信手段と、前記送信側から印刷方法を取得する取得手段と、前記取得した印刷方法に基づいて画像を印刷する印刷手段とを備えたことを特徴とする請求項１記載のファクシミリ装置。
【請求項１０】
前記通知された印刷方法通りに印刷できない場合は、前記通知された印刷方法を保持し、前記送信側に印刷能力の情報を再学習するよう依頼する依頼手段を備えたことを特徴とする請求項７又は８記載のファクシミリ装置。
通信装置。
【請求項１１】
前記通知された印刷方法通りに印刷できない場合は、前記通知された印刷方法を守らずに現状の印刷方法で印刷するか、再度印刷方法が設定されるのを待つかを選択する選択手段を備えたことを特徴とする請求項７又は８記載のファクシミリ装置。
【請求項１２】
前記印刷できなかったことと、エラー内容とを管理者に通知する通知手段を備えたことを特徴とする請求項１１記載のファクシミリ装置。
【請求項１３】
送信先の装置の印刷能力の情報を予め保持しておき、保持した印刷能力に基づいて送信画像の印刷画像を自装置でプレビューし、そのプレビュー画面を確認した後、印刷方法を選択し、選択した印刷方法を送信先に通知することを特徴とするファクシミリ装置の通信方法。
【請求項１４】
請求項１３記載のファクシミリ装置の通信方法をコンピュータに実行させるプログラム。
【請求項１５】
請求項１４記載のプログラムを記録したコンピュータ読み取り可能な記録媒体。
【発明の詳細な説明】
【技術分野】
【０００１】
本発明は、ファクシミリ送信前にプレビューを行うファクシミリ装置、ファクシミリ装置の通信方法、プログラムおよびコンピュータ読み取り可能な記録媒体に関するものである。
【背景技術】
【０００２】
従来より、ファクシミリ送信前に原稿データをプレビューする技術が提案されている（例えば、特許文献１参照）。また、発信元別に受信用紙サイズ幅を設定することが可能なファクシミリ装置が提案されている（例えば、特許文献２参照）。
【特許文献１】特開２００６−２５０５７号公報
【特許文献２】特開２００２−１００５３号公報
【発明の開示】
【発明が解決しようとする課題】
【０００３】
しかしながら上記従来技術では、送信原稿を読み取ったイメージでプレビューすることしかできず、受信側で画像がどのように印刷されるかは確認できなかった。また、自装置で印刷イメージを見ながら、受信側での印刷方法を指定することができなかった。
本発明は、上記事情に鑑みなされたもので、送信する原稿画像を受信側での印刷イメージとして自装置でプレビューし、その印刷画像の状態を確認して、受信側の印刷方法を設定できるようにすることを課題とする。
【課題を解決するための手段】
【０００４】
請求項１の発明によるファクシミリ装置は、送信先の装置の印刷能力の情報を保持する保持手段と、前記保持した印刷能力に基づいて送信画像の印刷画像を自装置でプレビューするプレビュー手段と、前記プレビュー手段でプレビューした後、印刷方法を選択する選択手段と、前記選択された印刷方法を前記送信先に通知する通信手段とを備えたことを特徴とするものである。
【０００５】
請求項２の発明によるファクシミリ装置は、請求項１において、前記保持手段が保持する印刷能力の情報として、カラー印刷、両面印刷、高解像度、記録紙種類、記録紙残量のうち少なくとも１つ以上を保持することを特徴とするものである。
【０００６】
請求項３の発明によるファクシミリ装置は、請求項１において、前記印刷能力に関する情報を、送信先毎に手動で設定できる設定手段を備えたことを特徴とするものである。
【０００７】
請求項４の発明によるファクシミリ装置は、請求項１において、前記送信先の印刷能力の情報を、その送信先との最初の通信のプロトコルで取得し前記保持手段に保持する取得手段を備えたことを特徴とするものである。
【０００８】
請求項５の発明によるファクシミリ装置は、請求項１において、前記プレビュー画面を自装置で表示する表示手段を備えたことを特徴とするものである。
【０００９】
請求項６の発明によるファクシミリ装置は、請求項１において、前記プレビューイメージを自装置で印刷する印刷手段を備えたことを特徴とするものである。
【００１０】
請求項７の発明によるファクシミリ装置は、請求項１において、前記通信手段は、前記印刷方法を前記送信先にプロトコルで通知することを特徴とするものである。
【００１１】
請求項８の発明によるファクシミリ装置は、請求項１において、前記通信手段は、前記印刷方法を画像情報に付加して通知することを特徴とするものである。
【００１２】
請求項９の発明によるファクシミリ装置は、請求項１において、画像の送信側でプレビュー画面を表示するために自装置の印刷能力の情報を前記送信側に送信する送信手段と、前記送信側から印刷方法を取得する取得手段と、前記取得した印刷方法に基づいて画像を印刷する印刷手段とを備えたことを特徴とするものである。
【００１３】
請求項１０の発明によるファクシミリ装置は、請求項７，８において、前記通知された印刷方法通りに印刷できない場合は、その通知された印刷方法を保持し、送信側に印刷能力の情報を再学習するよう依頼する依頼手段を備えたことを特徴とするものである。
【００１４】
請求項１１の発明によるファクシミリ装置は、請求項７，８において、前記通知された印刷方法通りに印刷できない場合は、前記通知された印刷方法を守らずに現状の印刷方法で印刷するか、再度印刷方法が設定されるのを待つかを選択する選択手段を備えたことを特徴とするものである。
【００１５】
請求項１２の発明によるファクシミリ装置は、請求項１１において、前記印刷できなかったことと、エラー内容とを管理者に通知する通知手段を備えたことを特徴とするものである。
【００１６】
請求項１３の発明によるファクシミリ装置の通信方法は、送信先の装置の印刷能力の情報を予め保持しておき、保持した印刷能力に基づいて送信画像の印刷画像を自装置でプレビューし、そのプレビュー画面を確認した後、印刷方法を選択し、選択した印刷方法を送信先に通知することを特徴とするものである。
【００１７】
請求項１４の発明によるプログラムは、請求項１３記載のファクシミリ装置の通信方法をコンピュータに実行させることを特徴とするものである。
【００１８】
請求項１５の発明によるコンピュータ読み取り可能な記録媒体は、請求項１４記載のプログラムを記録したことを特徴とするものである。
【発明の効果】
【００１９】
請求項１，１３の発明によれば、送信する原稿の印刷イメージが自装置と画像の受信側で等しくなるので、送信画像が利用者の希望通りに送信できる。
請求項２の発明によれば、利用者が必要とする印刷能力の情報を選んで設定できるので、無駄の無い設定を行うことができる。
請求項３の発明によれば、送信先毎に印刷能力の情報を設定できるので、利用者が送信の度に設定し直す必要が無い。
【００２０】
請求項４の発明によれば、画像の受信側の印刷能力の情報を手動で設定する必要が無いので、画像の受信側の印刷能力が変わっても、再設定する手間が省ける。
請求項５の発明によれば、プレビュー結果を通信装置の近くで確認し、即座に印刷方法の設定ができる。また、プレビューの確認に自装置以外のプレビュー用の装置を必要としないので、手間が掛からず、低コストで実現できる。
【００２１】
請求項６の発明によれば、プレビュー画面では分かりくい細かい部分も実際に紙に印刷するので、更に分かりやすくなる。
請求項７の発明によれば、印刷方法の通知を送信時の1回の通信内で行えるので、通信コストが低くなる。
請求項８の発明によれば、印刷画像に印刷方法を設定し、転送先に印刷方法を設定できるので、利用者が転送先での印刷方法の設定をする手間が省ける。
【００２２】
請求項９の発明によれば、印刷方法を画像の送信側から受け取ることができので、送信側の考えた通りに印刷することができる。
請求項１０の発明によれば、印刷エラーの条件が一時的なものならば、送信側に印刷能力の情報を再学習してもらわず、受信側ですぐに印刷エラーの条件を排除し、恒久的なものならば、送信側に印刷能力の情報を再学習してもらえば、次回印刷時には印刷エラーが発生しないので、効率的である。
【００２３】
請求項１１の発明によれば、印刷エラーの条件が一時的なものならば、直ぐに対策を施して、印刷を開始し、恒久的なものかならば、回避に時間がかかるため、直ぐに印刷することが選択できるため、効率的である。
請求項１２の発明によれば、印刷できない状態と原因を管理者に通知するので、管理者が直ぐに対応でき、エラー回避を早急に行える。
【００２４】
請求項１３，１４，１５の発明によれば、コンピュータを用いてファクシミリ装置の通信方法を実行することができる。
【発明を実施するための最良の形態】
【００２５】
以下、本発明の実施の形態を図面と共に説明する。
図１は本発明の実施の形態によるファクシミリ装置のハードウェア構成例を示すブロック図である。
図１において、ＣＰＵ１は装置全体の制御を司るものであり、その制御下にＲＡＭ２、ＲＯＭ３、ＮＶＲＡＭ４、パネル制御部５と操作パネル６、エンジン制御部７とスキャン／プリントエンジン８、ディスクドライバ９と記憶媒体１０、外部Ｉ／Ｆ１１、モデム１２、通信制御部１３があり、それらがデータバス１４を介して接続されている。
【００２６】
ＲＡＭ２は、データの一時的な記憶場所として利用される。ＲＯＭ３は、プログラム、フォント、及びその他の静的なデータが格納されている。ＮＶＲＡＭ４は、不揮発性のデータを格納する。パネル制御部５と操作パネル６は、ユーザとのインターフェースとなる。エンジン制御部７とスキャン／プリントエンジン８は、イメージデータの入出力ユニットとして、紙原稿の読み取りと転写紙への印刷を行う。ディスクドライバ９と記憶媒体１０は、大量のイメージデータの蓄積場所、データベースの記憶場所として利用される。 外部Ｉ／Ｆ１１は、セントロニクス等のインターフェースを用いて本体機器と外部機器との通信を可能にする。モデム１２は、公衆電話回線と接続され、外部機器との通信を可能にする。通信制御部１３は、イーサネット（登録商標）や無線ＬＡＮ等のネットワークに接続され、外部機器との通信を可能とする。
【００２７】
図２は操作パネル６の操作面を示す図である。
０１：ファクシミリ装置で設定した宛先や動作設定やプレビュー画面が液晶タッチパネルに表示される。
０２：「スタート」ボタン押下で原稿を読み取り、図４のプレビュー画面が開く。
０３：「印刷能力の情報保持設定」ボタン押下で図５の印刷能力の情報保持設定画面が開く。
０４：「印刷方法設定」ボタン押下で図６の印刷方法設定画面が開く。
０５：「印刷エラー時設定」ボタン押下で図７の印刷時エラー設定画面が開く。
これらの画面で設定した内容は、図１の操作パネル６→パネル制御部５→データバス１４→ＮＶＲＡＭ４と格納される。
【００２８】
図３は図２の操作パネル６における０１の液晶タッチパネルの表示例を示す。
利用者が液晶タッチパネルに表示されたキーにタッチすることで、選択された機能を示すキーが黒く反転する。また、機能の詳細を指定しなければならない場合は、キーにタッチすることで、詳細機能の設定画面が表示される。このように、液晶タッチパネルは、ドット表示器を使用しているので、その時の最適な表示をグラフィカルに行うことができる。
【００２９】
図４（ａ）（ｂ）は０１のプレビュー画面を示す。
Ｐ１、Ｐ４部分に画像の受信側で印刷するイメージが表示される。Ｐ１は両面での印刷イメージを表示している。Ｐ４は画像の受信側でＡ４タテ設定で印刷するようになっているため、図が切れているイメージを表示している。
Ｐ２の「プレビューイメージを印刷」ボタン押下で、プレビューイメージが自装置（ここでは送信側装置）で印刷される。
Ｐ３の「印刷方法設定」部分に配置されたボタン押下で、印刷方法の各項目が設定できる。
【００３０】
図５は０３の印刷能力の情報保持設定画面である。
Ａ１部分で各宛先(送信先)毎に印刷能力の情報の設定ができる。
Ａ２の「設定方法」部分に配置されたボタン押下で、受信側の印刷能力の情報の保持方法が設定できる。
Ａ３の「設定項目」部分に配置されたボタン押下で、保持する印刷能力の情報の項目を図示のように設定できる。
【００３１】
Ａ２で手動設定の場合は、Ａ３の設定項目ボタンを押下して開く画面において手動で設定値を設定する。
Ａ２で自動設定の場合は、選択したボタン項目に関して印刷能力の情報を自動的に保持する。印刷能力の情報としては、カラー印刷、両面印刷、高解像度、記録紙種類、記録紙残量のうち少なくとも１つ以上を保持している。これらの印刷能力の情報は、図示のように宛先(送信先)毎に表示され、手動で送信先の印刷能力の情報を設定できるようになされている。送信先の印刷能力の情報は、その送信先との最初の通信のプロトコルで取得し、保存しておく。
【００３２】
図６は０４の印刷方法設定画面である。
Ｍ１の「印刷方法設定」部分に配置されたボタン押下で、画像の印刷方法を受信側に通知する方法を設定できる。
【００３３】
図７は上記印刷方法を通知する方法を示す。
Ｓ１のようにＴＳＩの末尾に印刷方法を付加する。
Ｓ２のようにＦコードの末尾に印刷方法を付加する。
Ｓ３のように送信画像の一部にバーコードを付加する。
【００３４】
図８は０５の印刷時エラー設定画面である。
Ｅ１の「管理者に通知する」ボタン押下で、指定された印刷方法で印刷されなかった場合、印刷できないこととその理由を管理者に通知する。
Ｅ２の「印刷能力の情報再学習を依頼する」ボタン押下で、指定された印刷方法で印刷されなかった場合、自装置に再度、受信側の印刷能力の情報を通知し、再学習を依頼する。
Ｅ３の「印刷方法再指定後印刷」ボタン押下で、指定された印刷方法で印刷されなかった場合、自装置から再度、印刷方法が指定されてから印刷する。
Ｅ４の「印刷方法変更して印刷」ボタン押下で、指定された印刷方法で印刷されなかった場合、画像の受信側で現状利用できる最適な印刷方法で印刷する。
【００３５】
本実施の形態によれば、次の効果を得ることができる。
１）送信する原稿画像の受信側での印刷イメージとして自装置でプレビューし、その印刷画像の状態を確認して、受信側の印刷方法を設定できる。即ち、送信する原稿の印刷イメージが自装置と画像の受信側で等しくなるので、送信画像が利用者の希望通りに送信できる。
【００３６】
２）印刷能力の情報は様々なものがある。それらを1つしか覚えられないと柔軟な印刷ができず、また、全て覚えてしまうと、自装置で、特に気にしない印刷能力の情報まで保持してしまい、リソースに無駄が発生してしまう。
本実施の形態によれば、利用者が必要とする印刷能力の情報を選んで設定できるので、無駄の無い設定を行うことができる。
【００３７】
３）送信先の印刷能力の情報を送信側で一律に設定してしまうと、送信するたびに設定が必要となり、不便である。
本実施の形態によれば、画像の受信側毎に印刷能力の情報を設定できるので、利用者が送信の度に設定し直す必要が無い。
【００３８】
４）送信先の印刷能力の情報を手動で設定すると、画像の受信側の印刷能力の情報が変わるたびに再度手動での設定が必要になり、不便である。
本実施の形態によれば、画像の受信側の印刷能力の情報を手動で設定する必要が無いので、画像の受信側の印刷能力が変わっても、再設定する手間が省ける。
【００３９】
５）プレビュー結果を自装置で確認できないのは不便である。
本実施の形態によれば、プレビュー結果を自装置で確認し、即座に印刷方法の設定ができる。また、プレビューの確認に自装置以外の装置を必要としないので、手間が掛からず、低コストで実現できる。
【００４０】
６）プレビュー結果を液晶パネルでしか確認できないと、実際に紙に印刷された詳細なイメージが分からず不便である。
本実施の形態によれば、プレビュー画面では分かりくい、細かい部分も実際に紙に印刷するので、更に分かりやすくなる。
【００４１】
７）印刷方法の通知を1回の通信内で行えないのは不便である。
本実施の形態によれば、印刷方法の通知を送信時の1回の通信内で行えるので、通信コストが低くなる。
【００４２】
８）印刷方法をプロトコルで通知すると、転送先に情報が引き継げず不便である。
本実施の形態によれば、印刷画像に印刷方法を設定し、転送先に印刷方法を設定できるので、利用者が転送先での印刷方法の設定をする手間が省ける。
【００４３】
９）印刷方法を画像の送信側から受け取り、印刷することができないのは不便である。
本実施の形態によれば、印刷方法を画像の送信側から受け取ることができるので、画像の送信側の考えた通りに印刷することができる。
【００４４】
１０）印刷エラーの条件が一時的なものか恒久的なものかで対応を変えられないのは不便である。
本実施の形態によれば、印刷エラーの条件が一時的なものならば、自装置に印刷能力の情報を再学習してもらわず、画像の受信側ですぐに印刷エラーの条件を排除し、恒久的なものならば、自装置に印刷能力の情報を再学習してもらえば、次回印刷時には印刷エラーが発生しないので、効率的である。
【００４５】
１１）印刷できないときに、一律、画像の送信側の印刷方法の設定を待っているのでは効率が悪い。
本実施の形態によれば、印刷エラーの条件が一時的なものならば、直ぐに対策を施して、印刷を開始し、恒久的なものかならば、回避に時間がかかるため、直ぐに印刷ることが選択できるため、効率的である。
【００４６】
１２）印刷できない状態を管理者が知らないままだと不便である。
本実施の形態によれば、印刷できない状態と原因を管理者に通知するので、管理者が直ぐに対応でき、エラー回避が早急に行える。
以上のように、本実施の形態によれば、送信する原稿画像を受信側での印刷イメージとして自装置でプレビューすることができるので、その印刷画像の状態を確認してから受信側の印刷方法を設定できる。また、本実施の形態をコンピュータにより実行することができる。
【００４７】
尚、本実施の形態における処理を、ＣＰＵ１が実行するためのプログラムは本発明によるプログラムを構成する。また、このプログラムを記録するＲＯＭ３等の記録媒体は、本発明によるコンピュータ読み取り可能な記録媒体を構成する。この記録媒体としては、半導体記憶装置や光学的及び／又は磁気的な記憶装置等を用いることができる。このようなプログラム及び記録媒体を、前述した実施の形態とは異なる構成の装置やシステム等で用い、そこのＣＰＵで上記プログラムを実行させることにより、本発明と実質的に同じ効果を得ることができる。
【図面の簡単な説明】
【００４８】
【図１】本発明の実施の形態によるファクシミリ装置のハードウェア構成を示すブ  ロック図である。
【図２】操作パネルの操作面を示す構成図である。
【図３】操作パネルにおける液晶タッチパネルの表示例を示す構成図である。
【図４】プレビュー画面を示す構成図である。
【図５】印刷能力の情報保持設定画面を示す構成図である。
【図６】印刷方法設定画面を示す構成図である。
【図７】印刷方法を通知する方法を示す構成図である。
【図８】印刷時エラー設定画面を示す構成図である。
【符号の説明】
【００４９】
１    ＣＰＵ
５    パネル制御部
６    操作パネル
１２    モデム
１３    通信制御部
０１    液晶タッチパネル
０２    プレビューのスタートボタン
０３    印刷能力の情報保持設定画面
０４    印刷方法設定画面
０５    印刷エラー時設定画面
Ｐ１、Ｐ４    受信側で印刷する印刷イメージ表示面
Ｐ２    プレビューイメージを印刷ボタン
Ｐ３    印刷方法設定ボタン
Ａ１    各宛先毎の印刷能力の情報の設定ボタン
Ａ２    受信側の印刷能力の情報の保持方法設定ボタン
Ａ３    設定項目ボタン
Ｍ１    印刷方法設定ボタン
Ｓ１    ＴＳＩの末尾に印刷方法を付加する
Ｓ２    Ｆコードの末尾に印刷方法を付加する
Ｓ３    送信画像の一部にバーコードを付加する
Ｅ１    管理者に通知するボタン
Ｅ２    印刷能力の情報再学習を依頼するボタン
Ｅ３    印刷方法再指定後印刷ボタン
Ｅ４    印刷方法変更して印刷ボタン
【図１】
2008219811.tif 000003
【図２】
2008219811.tif 000004
【図３】
2008219811.tif 000005
【図４】
2008219811.tif 000006
【図５】
2008219811.tif 000007
【図６】
2008219811.tif 000008
【図７】
2008219811.tif 000009
【図８】
2008219811.tif 000010